(57)【要約】【課題】ロータに対して下方に大きな荷重がかかったとしても、シャフトとロータフレームが外れることのない高強度のモータを、低コスト、高信頼性な構成で提供することができる。【解決手段】ステータ２とロータ３により構成されるアウターロータ型のモータにおいて、ロータ３を構成するロータフレーム８の、シャフト挿入部のシャフト挿入口１２とは反対側に、シャフト１１の端面に当接される係止部１３をプレス加工により一体に形成する。【選択図】図１
2007020241.tif 000002
【特許請求の範囲】
【請求項１】
ステータ巻線と軸受がブラケットに固定されたステータと、永久磁石を配設したロータフレームに、シャフトが固定されたロータとにより構成され、前記シャフトが前記軸受に回転可能に支持されることで、前記ロータが前記ステータに対して回転可能となっているアウターロータ型モータにおいて、前記ロータフレームのシャフト挿入部のシャフト挿入口とは反対側に、シャフトの端面に当接される係止部を一体に形成したことを特徴とする小型モータ。
【請求項２】
前記係止部をプレス加工により形成したことを特徴とする小型モータ。
【請求項３】
請求項１または請求項２に記載の小型モータを搭載したディスク駆動装置。
【請求項４】
前記請求項３のディスク駆動装置を搭載したディスクプレーヤ。
【請求項５】
前記請求項３のディスク駆動装置を搭載したディスクレコーダ。
【発明の詳細な説明】
【技術分野】
【０００１】
本発明は、例えば、ＣＤ、ＤＶＤ、ＭＤ、等の各種情報記録ディスクの回転駆動用として、あるいはその他各種用途に適用可能な小型モータに関するものである。
【背景技術】
【０００２】
従来、アウターロータ型の小型モータは、図２に示すように、ステータ側の部品とロータ側の部品に大別され、両者の組合せで構成される。
【０００３】
ステータ側は、巻線１０１を巻回したステータコア１０２と軸受１０３がブラケット１０４に固定され、一方、ロータ側は永久磁石１０５を配設したロータフレーム１０６に、シャフト１０７が固定され、ロータ側のシャフト１０７がステータ側の軸受１０３に挿入され、回転可能に支持された構成となっている。
【０００４】
なお、ロータフレーム１０６に対するシャフト１０７の固定に関しては、シャフト１０７に段差部１０８を設けて、ロータフレーム１０６に圧入し、固定されたものが知られている(例えば、特許文献１参照)。
【０００５】
本構成とすることで、ロータフレーム１０６に下方向に大きな荷重がかかっても、シャフト１０７の段差部１０８でロータフレーム１０６の挿入部を受けているので、ロータフレーム１０６が下に抜けることはない。
【特許文献１】特開２００１−５６０２３号公報
【発明の開示】
【発明が解決しようとする課題】
【０００６】
しかしながら、上記従来の構成では、シャフトに段差部を設けているので、シャフト自体を追加工する必要があり、コストアップの要因になると共に、段差部とシャフト本体部分との同軸度及び円周振れ精度が大きくなり、モータ性能が低下する恐れがあった。
【０００７】
本発明は上記従来の課題を解決するものであり、低コストで信頼性の高い、ロータフレームとシャフトが強固に固定された小型モータを提供することを目的とする。
【課題を解決するための手段】
【０００８】
上記課題を解決するために本発明は、ロータフレームのシャフト挿入部のシャフト挿入口とは反対側に、シャフトの端面に当接される係止部をプレス加工により一体に形成したものであり、低コストで信頼性の高い、ロータフレームとシャフトが強固に固定された小型モータを得ることができる。
【発明の効果】
【０００９】
本発明の小型モータによれば、ロータフレームに下方向に大きな荷重がかかったとしても、ロータフレームのシャフト挿入部に形成された係止部が、シャフト端面に当接、保持され、ロータフレームが下に抜けることがないので、高強度、高信頼性な小型モータを実現できる。
【００１０】
また、ロータフレームのシャフト挿入部に形成される係止部は、プレス加工によりシャフト挿入部を形成するのと同時に形成されるので、ロータフレームは特別な追加工を必要とせず、シャフトも同様に追加工を必要としないので、コストアップすることなく、低コストで本発明の構成を実現できる。
【００１１】
また、シャフトには従来例にあるような段差部を設けないので、組み立て精度が悪くなる要因がなく、信頼性の高い小型モータを実現できる。
【００１２】
したがって、低コストで高信頼性な、ロータ強度の高い小型モータを提供することができる。
【発明を実施するための最良の形態】
【００１３】
本発明の実施の形態は、ステータ巻線と軸受がブラケットに固定されたステータと、永久磁石を配設したロータフレームに、シャフトが固定されたロータとにより構成され、前記シャフトが前記軸受に回転可能に支持されることで、前記ロータが前記ステータに対して回転可能となっているアウターロータ型モータにおいて、前記ロータフレームのシャフト挿入部のシャフト挿入口とは反対側に、シャフトの端面に当接される係止部を一体に形成したものである。係止部をロータフレームのシャフト挿入部に設けることで、ロータフレームに下方向に大きな荷重がかかったとしても、係止部がシャフト端面に当接、保持され、ロータフレームが下に抜けることがなく、ロータ強度の高い小型モータとすることができる。
【００１４】
また本発明は、前記係止部をプレス加工により形成したものである。プレス加工で係止部をロータフレームの挿入部に一体に形成することで、係止部を形成するための追加工を必要せず、一工程で容易に係止部を形成することができる。
【００１５】
また本発明は、前記小型モータを搭載したディスク駆動装置であり、耐久性の高いディスク駆動装置とすることができる。
【００１６】
また本発明は、前記ディスク駆動装置を搭載したディスクプレーヤであり、耐久性の高いディスクプレーヤとすることができる。
【００１７】
また本発明は、前記ディスク駆動装置を搭載したディスクレコーダであり、耐久性の高いディスクレコーダとすることができる。
【実施例】
【００１８】
以下本発明の実施例について図面を用いて説明する。
【００１９】
（実施例１）
図１において、アウターロータ型の小型モータ１は、ステータ２とロータ３により構成される。ステータ２は、巻線４を巻回したステータコア５と軸受６をブラケット７に圧入等により固定して構成される。一方、ロータ３は、ロータフレーム８の内径部に永久磁石９を接着固定し、シャフト挿入部１０にシャフト１１を圧入、固定して構成される。
【００２０】
ステータ２とロータ３は、ロータ３のシャフト１１をステータ２の軸受６に挿入することで、組み付けられ、シャフト１１が軸受６に回転可能に支持されることで、ロータ３はステータ２に対して回転可能な構成となっている。
【００２１】
前記シャフト挿入部１０は、プレス加工により、メッキ鋼板等を用いたロータフレーム８に一体的に形成され、シャフト挿入口１２とは反対側には円環状の係止部１３を設けている。この係止部１３もシャフト挿入部１０を形成するときに一緒に形成される。
【００２２】
ロータ３の組立の際には、前述したように、シャフト１１をロータフレーム８のシャフト挿入部１０のシャフト挿入口１２から挿入し、シャフト１１の端面１４が前記係止部１
３に当接するところまで圧入する。
【００２３】
よって、シャフト１１の下端を受けた状態でロータ３に対して下方向に過大な応力が加わっても、前記係止部１３がシャフト端面１４に当接、保持され、シャフト１１に対してロータフレーム８が相対的に移動することはないので、高強度、高信頼性な小型モータ１を実現できる。
【００２４】
また、前述したように、前記係止部１３は、ロータフレーム８にプレス加工を施すことにより、シャフト挿入部１０を形成するときに同時に形成するので、ロータフレーム８に特別な追加工を必要とせず、シャフト１１も同様に追加工を必要とすることなく、コストアップをしないで、低コストで本発明の構成を実現できる。
【００２５】
なお、本発明の実施例では、シャフト１１に従来例にあるような段差部１０８を設けないので、組み立て精度が悪くなる要因がなく、信頼性の高い小型モータ１を実現できる。
【００２６】
したがって、本発明の実施例によれば、低コストで高信頼性な、ロータ強度の高い小型モータ１を提供することができる。
【００２７】
また本発明の実施例の小型モータ１を搭載したディスク駆動装置とすることで、耐久性の高いディスク駆動装置とすることができる。
【００２８】
また、前記ディスク駆動装置を搭載したディスクプレーヤとすることで、耐久性の高いディスクプレーヤとすることができる。
【００２９】
さらに、前記ディスク駆動装置を搭載したディスクレコーダとすることで、耐久性の高いディスクレコーダとすることができる。
【産業上の利用可能性】
【００３０】
本発明の小型モータは、低コストで、高強度、高信頼性を要求されるディスクプレーヤの駆動モータとして利用することが可能である。
【図面の簡単な説明】
【００３１】
【図１】本発明の実施例１における小型モータの断面図
【図２】従来の小型モータの断面図
【符号の説明】
【００３２】
１    小型モータ
２    ステータ
３    ロータ
４、１０１    巻線
５、１０２    ステータコア
６、１０３    軸受
７、１０４    ブラケット
８、１０６    ロータフレーム
９、１０５    永久磁石
１０    シャフト挿入部
１１、１０７    シャフト
１２    シャフト挿入口
１３    係止部
１４    端面
１０８    段差部
【図１】
2007020241.tif 000003
【図２】
2007020241.tif 000004